(57)【要約】      （修正有）【課題】強度のある安全な立坑の土留壁が簡便かつ低コストで形成でき、しかも、資材を地中に残さず回収できる立坑用ケーシングを提供する。【解決手段】立坑用ケーシング１は、円筒状のケーシング本体２と、ケーシング本体の下端から側面に設けられた横管用スリット３と、横管用スリットに着脱自在に取り付けられたスリット閉鎖部材４とを有し、スリット閉鎖部材は横管用スリットの長さ方向に沿って分割されており、分割されたそれぞれの部材４ａ、４ｂには半円状の横管挿入用切り欠き部５ａ、５ｂが設けられている。【選択図】図１
0003196697.tif 000002
【実用新案登録請求の範囲】
【請求項１】
円筒状のケーシング本体と、ケーシング本体の下端から側面に設けられた横管用スリットと、ケーシング本体の横管用スリットに着脱自在に取り付けられたスリット閉鎖部材とを有し、スリット閉鎖部材は横管用スリットの長さ方向に沿って分割されており、分割されたそれぞれの部材には半円状の横管挿入用切り欠き部が設けられている立坑用ケーシング。
【請求項２】
ケーシング本体と同径の円筒状でケーシング本体の上に着脱自在に取り付ける延長ケーシングと、ケーシング本体または延長ケーシングの上縁に取り付ける上縁保護部材を有する請求項１に記載の立坑用ケーシング。
【考案の詳細な説明】
【技術分野】
【０００１】
この考案は、埋設管の設置などの工事が安全にできる空間を地中に形成するための立坑用ケーシングに関する。
【背景技術】
【０００２】
埋設物を設置する場合、設置する深さまで立坑を掘り、その立坑内で作業が行われる。この作業中に坑内に土砂が崩れ落ちないようにするために、周囲に土留部材を設置する必要がある。簡易立坑を築造する方法として、軽量鋼矢板、ライナープレート等をバックホウでオープン掘削し、順次設置していくが、深くなるにつれて地山の崩壊等が発生しやすくなるので築造が難しく、また、安全上にも問題がある。
【０００３】
そこで、あらかじめ円筒状のケーシングを準備し、これを地中に取り付けて土留壁を形成することが考えられる。特許文献１には、ケーシング内を掘り進める作業とケーシングに下向きに押し下げる力を加えることを同時に行うことにより、円形ケーシングを地中に埋めることが記載されている。また、特許文献２や特許文献３には円形ケーシングの下端に切削刃（刃先）が設け、これを回転・揺動させて地中に挿入することが記載されている。さらに特許文献２には、下部に開口部を設けるとともに、この開口部閉鎖する埋め殺し板を取り付け、埋め殺し板に穴を開けて推進管を圧入し、ケーシング回収のときには埋め殺し板を切り離して、ケーシング本体を引き上げることが記載されている。特許文献３にも、ケーシング下端部にスリットを形成し、このスリットを閉塞する閉塞板を着脱自在に取り付けることが記載されいる。
【先行技術文献】
【特許文献】
【０００４】
【特許文献１】特開２００６−３７６９５号公開特許公報
【特許文献２】特開平８−２１１８１号公開特許公報
【特許文献３】特開平６−１４６３８２号公開特許公報
【考案の概要】
【考案が解決しようとする課題】
【０００５】
従来の簡易矢板などによる簡易立坑の掘削土留め方法では、地山の崩壊による災害の可能性がある。また、推進工事における、推進機の推力により、背面への反力の確保が必要となり、軽量鋼矢板、ライナープレートでは補強が必要となる。
【０００６】
さらに、築造した立坑に横方向の管を接続するためには土留壁を構成する簡易矢板等に穴を開け、その穴に横管を通す必要がある。こうすると、簡易矢板等と横管が一体に接続されてしまうので、施工後に簡易矢板等を回収することができず、地中に残されることになる。しかし、このような施工は公道内で行われることが多いため、後工事のことも考慮すると不要な鋼材を土中に残置しないほうがよい。また、資材を使い捨てにすることは資源の無駄であるとともに、コストの増加にもなる。
【０００７】
特許文献１に記載の発明では、あらかじめ円形ケーシングを準備し、ケーシング内を掘り進める作業とケーシングに下向きに押し下げる力を加えることを同時に行うことにより、円形ケーシングを地中に埋めるので、安全な立坑を簡単に築造することができる。しかし、特許文献１の円形ケーシングは単なる円筒状の部材であるため、横管を通すためには従来の簡易矢板等と同様に側壁に穴を設けて、その穴に横管を通す必要がある。したがって、円形ケーシングと横管が接続されてしまうので、施工後に円形ケーシングを回収することはできない。特許文献１には、円形ケーシングを地中に埋めることは記載されているが、引き上げることは記載されておらず、円形ケーシングは地中に残されることになる。
【０００８】
特許文献２の発明によれば、推進管を通した埋め殺し板をケーシング回収のときには切り離して、ケーシング本体を引き上げることができる。したがって、ケーシング本体を再利用することができる。しかし、埋め殺し板は回収できないので、その分は資源の無駄になる。また、このような部材が地中に残ることは、後の工事において妨げになる。さらに、ケーシング本体の先端には刃先を取り付ける必要があり、複雑な構成になる。このケーシングを回転揺動させるための設備も必要となり、工事の規模が大きくなり、コストも高くなる。
【０００９】
特許文献３の発明には、スリットを閉塞する閉塞板として、管の取付口をふさぐ円形のものとスリットをふさぐ帯状のものが記載されている。連結管を挿入するときは取付口の閉塞板を取り外す。施工が完了した後には、スリットの閉塞板を取り外す。こうして、土留めケーシングを引抜く。この特許文献３においても、このケーシングを回転揺動させるための設備も必要となり、工事の規模が大きくなり、コストも高くなる。
【００１０】
この考案は、強度のある安全な立坑の土留壁が簡便かつ低コストで形成でき、しかも、資材を地中に残さず回収できる立坑用ケーシングを提供することを目的とする。
【課題を解決するための手段】
【００１１】
上述の課題を解決するため、この考案の立坑用ケーシングは、円筒状のケーシング本体と、ケーシング本体の下端から側面に設けられた横管用スリットと、ケーシング本体の横管用スリットに着脱自在に取り付けられたスリット閉鎖部材とを有し、スリット閉鎖部材は横管用スリットの長さ方向に沿って分割されており、分割されたそれぞれの部材には半円状の横管挿入用切り欠き部が設けられている。さらに、ケーシング本体と同径の円筒状でケーシング本体の上に着脱自在に取り付ける延長ケーシングと、ケーシング本体または延長ケーシングの上縁に取り付ける上縁保護部材を有することが好ましい。
【考案の効果】
【００１２】
この考案の立坑用ケーシングは、簡単にかつ低コストで地中に設置することができ、安全な立坑の土留壁が形成できる。強度のある円形ケーシングを埋設するため推進工事における反力を考慮せず、推進機の据付ができる。しかも、施工後にすべての部材を回収して再利用でき、地中に障害物を残さない。
【図面の簡単な説明】
【００１３】
【図１】立坑用ケーシングを示す正面図である。
【図２】同平面図である。
【図３】スリット閉鎖部材を示す正面図である。
【図４】同平面図である。
【図５】止水パッキンを示す正面図である。
【図６】上縁保護部材を示す正面図である。
【図７】立坑用ケーシングの設置作業の初期状態を示す断面図である。
【図８】立坑用ケーシングの設置作業が進行した状態を示す断面図である。
【図９】横管を推進する状態を示す断面図である。
【図１０】同平面図である。
【考案を実施するための形態】
【００１４】
この考案を実施するための形態について図面に基づいて説明する。図１は立坑用ケーシングを示す正面図、図２は同平面図である。立坑用ケーシング１は、円筒状のケーシング本体２と、ケーシング本体２の下端から側面に設けられた横管用スリット３と、ケーシング本体２の横管用スリット３に着脱自在に取り付けられたスリット閉鎖部材４とを有する。本例では、さらに、ケーシング本体２と同径の円筒状でケーシング本体２の上に着脱自在に取り付ける延長ケーシング１０が備えられている。
【００１５】
ケーシング本体２はこの考案の立坑用ケーシングの主要な部分を構成する部材であり、鋼板などの強度のある素材で形成する。その径は施工に必要な空間に合わせて選択されるが、主に直径が１３６０〜３５００ｍｍ程度のものが特に有用である。例えば、厚さを９〜１６ｍｍとし、ここでは１２ｍｍを選択した。
【００１６】
ケーシング本体２の高さも築造される立坑に合わせて選択される。この深さをケーシング本体２のみでカバーしてもよいが、本例のように複数の延長ケーシング１０を組み合わせるようにしてもよい。このとき、延長ケーシング１０は高さの異なる複数のものを準備すると、その組み合わせによりさまざまな深さの施工に対応することができる。たとえば、内径１５６６ｍｍの場合、ケーシング本体２の高さは１５００ｍｍ程度とし、延長ケーシング１０として２００ｍｍ、３００ｍｍ、４００ｍｍ、５００ｍｍ、６００ｍｍ、７００ｍｍの各種の高さをのものを揃えることにより、必要な深さの施工のほとんどをカバーすることができる。
【００１７】
ケーシング本体２および延長ケーシング１０は円筒状の部材であり、図１の例では一体の部材として形成している。しかし、この部材は高さ方向に沿って分割してもよく、たとえば、その接続部分を管の内側からボルトで留めて円筒状に連結する。径の大きなケーシングの場合、分割することによって運搬が容易になり、また施工後の引き上げも行いやすくなる。
【００１８】
横管用スリット３はケーシング本体２の側面に設けられており、下端から横管設置高さまで形成されている。この図の例では横管用スリット３は矩形である。
【００１９】
スリット閉鎖部材について説明する。図３はスリット閉鎖部材を示す正面図、図４は同平面図である。スリット閉鎖部材４は横管用スリット３の長さ方向、すなわち、ケーシング本体２の高さ方向に沿って分割されており、ボルト等の連結部材で連結・分離が可能である。連結された状態ではケーシング本体２の内面にそった曲面を有するシェルであり、横管用スリット３を覆う形状になっている。その上部には横管を通すための穴５があいた状態になる。左右に分割された２つの部材４ａ，４ｂは、連結部において若干の幅で重なっており、この重なり部に曲面の内側からボルト７が取り付けられる。また、分割されたそれぞれの部材４ａ，４ｂには半円状の横管挿入用切り欠き部５ａ，５ｂが設けられていて、この２つの部材４ａ，４ｂを連結したときに横管を通すための円形の穴５が形成される。この穴５の位置には、止水パッキン６を取り付けることができる。図５は、止水パッキンを示す正面図である。リング状のゴム板であり、設置する横管の断面よりやや小さい径の穴があいている。この止水パッキン６を通して横管を設置することにより、横管とスリット閉鎖部材４の間の隙間がなくなり、安全に施工することができる。なお、スリット閉鎖部材４として、横管挿入用切り欠き部５ａ，５ｂの半円の径が異なるものを複数用意することが好ましい。これにより、横管の径に合った横管挿入用切り欠き部５ａ，５ｂのスリット閉鎖部材４を選択することにより、同じケーシング本体２を使用してさまざまな横管に対応することができる。この場合、止水パッキン６もそれぞれの径に合ったものを用意することになる。
【００２０】
スリット閉鎖部材４の周囲にはボルト通し穴７が設けられており、ケーシング本体２に着脱できる。ボルトの着脱は曲面の内側から行う。スリット閉鎖部材４がケーシング本体２に取り付けられたとき、スリット閉鎖部材４の下端はケーシング本体２の下端の位置になる。
【００２１】
ケーシング本体２および延長ケーシング１０の上縁には吊り下げ用の穴８が設けられている。この吊り下げ用の穴８にワイヤー等を通すことにより吊り下げることができる。また、ケーシング本体２や延長ケーシング１０の上縁には上縁保護部材９を取り付けることができる。図６は上縁保護部材を示す正面図である。上縁保護部材９は打撃等の衝撃の緩衝部材であり、上部には衝撃に耐える強度の上板があり、その左右には側板が下向きに設けられていて、概ねコの字状の断面形状を有する。
【００２２】
次に、この立坑用ケーシングの使用方法について、埋設管設置工法の例に基いて説明する。図７は立坑用ケーシングの設置作業の初期状態を示す断面図である。この考案の立坑用ケーシングおよび埋設管設置工法では、回転揺動させるような特殊な装置を使うことなく、汎用の工事用機械で実施することができる。本例では、バックホウと呼ばれるタイプの油圧ショベル１１を使用する。
【００２３】
まず、施工場所に油圧ショベル１１で予備穴ｘを掘る。掘削長が短かったり、崩れにくい地盤であればそのまま掘り進めればよいが、一定の深さになれば周囲の土砂が崩れ始めるので、掘削を止めて予備穴ｘの中に立坑用ケーシングを設置する。このとき、スリット閉鎖部材４はケーシング本体２に取り付けておく。ケーシング本体２がある程度まで予備穴ｘに入っている場合は、その上に延長ケーシング１０を接続してもよい。さらに、ケーシング本体２または延長ケーシング１０の上縁に上縁保護部材９を取り付ける。上縁保護部材９は略コの字の断面であるので、上縁に載せることにより簡単に取り付けることができる。
【００２４】
ついで、油圧ショベル１１でケーシング本体２の内部を掘り進める。これにより穴ｘはさらに深くなり、ケーシング本体２が下に進んでいく。図８は立坑用ケーシングの設置作業が進行した状態を示す断面図である。ケーシング本体２が所定の深さまで下がったらケーシング本体２の上に延長ケーシング１０を順次接続しながら、最終的な深さまで掘り進める。
【００２５】
固い土砂や石などによりケーシング本体内部の掘削だけではケーシング本体２が下がらないときは、油圧ショベル１１により押したり打撃を加えることができる。ケーシング本体２または延長ケーシング１０の上縁に取り付けた上縁保護部材９を油圧ショベル１１のバケット１２等で押したり打ち付けることにより、ケーシング本体２の下降が進行する。上縁保護部材９を緩衝材として取り付けることにより、ケーシング本体２の損傷が防止される。
【００２６】
立坑用ケーシング１を予定の深さまで挿入したら、立坑用ケーシング１と穴の間に土を埋め戻す。こうして、安全な立坑が簡単に築造される。立坑用ケーシング１の側壁は、そのまま堅固な土留壁となる。高さの異なる複数の延長ケーシング１０を組み合わせることにより、どのような深さの立坑であっても、上縁が地上に突出しないように適切な状態に設置できる。
【００２７】
立坑が完成したら、中に入って必要な工事を行う。図９は横管を推進する状態を示す断面図、図１０は同平面図である。まず、底盤を作る。たとえば、２００ｍｍほどの厚さのコンクリート層を形成する。そして、この強化された底盤に推進機１３を設置する。このような推進機１３はすでに広く使用されている。管の外周を把持するチャックを備えており、このチャックを押し出すことにより横管を地中に挿入する。横管ｙの位置をスリット閉鎖部材４の穴に合わせ、この穴を通して送り出す。横管ｙの設置においては通常は、まずパイロット管と呼ばれる太い管を打ち込み、ついで、下水管など本来の管をパイロット管の中に通す。図９はパイロット管を推進している状態を示している。本考案では、強度のある円形ケーシングを埋設するため推進工事における反力を考慮せず、推進機の据付ができる。
【００２８】
横管ｙの先端はスリット閉鎖部材４の穴を通過するときに、そこに取り付けている止水パッキンに当たる。止水パッキンの穴の外周を地中に向かって押し出しながら横管ｙの先端は進行する。やがて、止水パッキンの穴は広げられ、横管ｙの先端は止水パッキンを通過して、地中を進行していく。横管ｙの側壁とスリット閉鎖部材４の間は止水パッキンにより密封されるので、作業の間、土砂や地下水が立坑の内部に進入するのが防止される。
【００２９】
工事には一定の期間を有することが多く、夜間などにおいて作業が中断される。このとき、立坑の上に鋼板などの蓋を置くことにより、立坑の上を車などが通行できるようになる。
【００３０】
立坑内の作業が終了したら、資材の撤去を行う。まず、推進機などの機材を撤去する。ついで、立坑用ケーシングの回収を行う。
【００３１】
底盤のコンクリートを壊し、立坑用ケーシングの下端を底盤から切り離す。さらに、スリット閉鎖部材４を取り外す。外周部のボルトをケーシング内から外すことにより、スリット閉鎖部材４とケーシング本体２を切り離すことができる。さらに、左右の部材４ａ，４ｂ同士を連結しているボルトもケーシング内から外すことができる。こうして、分離されたスリット閉鎖部材４は横管ｙに干渉することなく簡単に取り外し、回収することができる。
【００３２】
ついで、立坑内に土砂を戻し、転圧を行いながらケーシング内部を埋め戻していく。それから、立坑用ケーシング１を真上に引き上げて、地中から引き抜く。スリット閉鎖部材４は全て取り外されているので、横管用スリット３は開放されている。この横管用スリット３により横管ｙに干渉することなく、簡単に立坑用ケーシング１を回収できる。こうして、スリット閉鎖部材４を含め全ての資材を回収し、再使用することができるので、資源の有効活用ができる。不要な部材を地中に残さないので、後日、別の工事を同じ場所で行うときも、悪影響はない。
【００３３】
以上、推進工事における発進坑の例で説明したが、本考案の立坑用ケーシングは到着坑側でも使用できる。この場合、発進坑より送られてきた横管は、スリット閉鎖部材４の穴５を通って、立坑内に進入する。その後は発進坑の場合と同様に、スリット閉鎖部材４を横管から取り外すことができる。又、推進工事以外にも開削工事、埋設物設置工事等幅広く使用することが可能である。
【符号の説明】
【００３４】
１．立坑用ケーシング
２．ケーシング本体
３．横管用スリット
４．スリット閉鎖部材
５．横管挿入用穴
５ａ，５ｂ  横管挿入用切り欠き部
６．止水パッキン
７．ボルト通し穴
８．吊り下げ用の穴
９．上縁保護部材
１０．延長ケーシング
１１．油圧ショベル
１２．バケット
１３．推進機
ｘ．予備穴
ｙ．横管
【図１】
0003196697.tif 000003
【図２】
0003196697.tif 000004
【図３】
0003196697.tif 000005
【図４】
0003196697.tif 000006
【図５】
0003196697.tif 000007
【図６】
0003196697.tif 000008
【図７】
0003196697.tif 000009
【図８】
0003196697.tif 000010
【図９】
0003196697.tif 000011
【図１０】
0003196697.tif 000012